(57)【要約】【課題】ユーザが所望の電子データをより容易に探索することができる表示装置の提供。【解決手段】本発明の携帯電話機１は、複数の電子記事の１つの本文を表示部８に表示する携帯電話機１であって、複数の電子記事のそれぞれに含まれる日付情報に基づいて、複数の電子記事のうち、本文が表示されている電子記事に対して、日付順で直前となる電子記事の日付、または日付順で直後となる電子記事の日付の少なくとも一方を検出する日付管理部１０と、上記電子記事の本文を表示部に表示させるときに、該電子記事の本文と共に日付管理部１０が検出した日付を表示させる制御部３とを備えているので、携帯電話機１のユーザは所望の電子記事を容易に探索することができる。【選択図】図１
2009015506.tif 000002
【特許請求の範囲】
【請求項１】
複数の電子データの１つである第１電子データを表示部に表示する表示装置であって、
上記各電子データに含まれる日付データに基づいて、上記複数の電子データのうち、日付順で上記第１電子データの直前となる電子データである第２電子データの日付、及び日付順で上記第１電子データの直後となる電子データである第３電子データの日付の少なくとも一方を検出する日付管理手段と、
上記第１電子データを表示部に表示するときに、当該第１電子データと共に上記日付管理手段が検出した日付を表示する表示制御手段とを備えていることを特徴とする表示装置。
【請求項２】
上記第１電子データを表示しているときに所定のユーザ操作を取得して、上記第１電子データに代えて上記第２電子データまたは第３電子データを表示部に表示させる第１選択手段を備えていることを特徴とする請求項１に記載の表示装置。
【請求項３】
上記日付データに基づいて、上記複数の電子データのうち、日付順で上記第１電子データよりも前となる電子データの件数、及び日付順で上記第１電子データよりも後となる電子データの件数の少なくとも一方を算出する件数管理手段を備え、
上記表示制御手段は、上記第１電子データと共に上記算出した件数を上記表示部に表示することを特徴とする請求項１または２に記載の表示装置。
【請求項４】
上記複数の電子データのそれぞれには、各電子データの分類を示す分類情報が含まれており、
上記複数の電子データのうち、上記第１電子データと同じ分類に属する電子データであって、日付順で上記第１電子データの直前となる電子データである第４電子データの日付、及び日付順で上記第１電子データの直後となる電子データである第５電子データの日付の少なくとも一方を検出する分類別日付管理手段を備え、
上記表示制御手段は、上記第１電子データと共に上記分類別日付管理手段が検出した日付を上記表示部に表示することを特徴とする請求項１から３の何れか１項に記載の表示装置。
【請求項５】
上記第１電子データを表示しているときに所定のユーザ操作を取得して、上記第１電子データに代えて上記第４電子データまたは第５電子データを表示部に表示させる第２選択手段を備えていることを特徴とする請求項４に記載の表示装置。
【請求項６】
上記複数の電子データのそれぞれには、各電子データの分類を示す分類情報が含まれており、
上記第１電子データを表示しているときに所定のユーザ操作を取得して、上記第１電子データに代えて上記第２電子データまたは第３電子データを表示部に表示させる第１選択手段と、
上記複数の電子データのうち、上記第１電子データと同じ分類に属する電子データであって、日付順で上記第１電子データの直前となる電子データである第４電子データの日付、及び日付順で上記第１電子データの直後となる電子データである第５電子データの日付の少なくとも一方を検出する分類別日付管理手段と、
上記第１電子データを表示しているときに所定のユーザ操作を取得して、上記第１電子データに代えて上記第４電子データまたは第５電子データを表示部に表示させる第２選択手段とを備え、
上記表示制御手段は、上記分類別日付管理手段及び日付管理手段が検出した日付の少なくとも１つを上記表示部に表示すると共に、表示した日付に対応する電子データを表示部に表示させる第１または第２選択手段へのユーザ操作を促す選択補助データを上記表示した日付の少なくとも一部と重畳して表示することを特徴とする請求項１に記載の表示装置。
【請求項７】
複数の電子データの１つである第１電子データを表示部に表示する表示装置の表示方法であって、
上記各電子データに含まれる日付データに基づいて、上記複数の電子データのうち、日付順で上記第１電子データの直前となる電子データである第２電子データの日付、及び日付順で上記第１電子データの直後となる電子データである第３電子データの日付の少なくとも一方を検出する日付管理ステップと、
上記第１電子データを表示部に表示するときに、当該第１電子データと共に上記日付管理ステップにて検出した日付を表示する表示制御ステップとを含むことを特徴とする表示方法。
【請求項８】
請求項１から６の何れか１項に記載の表示装置を動作させるための表示装置制御プログラムであって、コンピュータを上記各手段として機能させるための表示装置制御プログラム。
【請求項９】
請求項８に記載の表示装置制御プログラムを記録したコンピュータ読み取り可能な記録媒体。
【発明の詳細な説明】
【技術分野】
【０００１】
本発明は、電子データを表示部に表示する表示装置、表示方法、表示装置制御プログラム、及び該プログラムを記録したコンピュータ読み取り可能な記録媒体に関するものである。
【背景技術】
【０００２】
近年、電子新聞や電子雑誌などの電子情報の配信サービスが増えてきている。しかしながら、上記配信サービスを利用するユーザが使用する通信端末装置において、配信される電子情報を記録するためのメモリの記憶容量には限りがある。
【０００３】
そこで、従来から、配信された電子情報の中から必要な電子情報のみをメモリに残す技術が利用されている。例えば、最も単純な方法ではユーザが不要な電子情報を選択してメモリから消去する方法が利用されている。
【０００４】
また、電子情報を受信する通信端末装置が自動的に電子情報をメモリから消去する方法も従来から用いられている。例えば、携帯電話機等の通信端末装置は、装置がメモリの記憶容量不足を検知した場合に、メモリに記録されている電子情報のうち、最も古い電子情報から順に消去したり、ユーザがチェックした電子情報以外の電子情報を消去したりする機能を備えているものが実用化されている。
【０００５】
しかしながら、現在では、流通する電子情報は増大する一方であり、増大する電子情報を有効に活用するためには、単に不要な電子情報を消去するだけでは十分ではない。例えば、メモリに記録されている電子情報が膨大になった場合には、記録されている電子情報の中から、ユーザが閲覧したい電子情報をより効率よく見つけることが難しく、電子情報を有効に活用することができない。
【０００６】
さらに、１つの電子情報の中に複数の記事やコンテンツが含まれていることもある。このような場合には、電子情報の中から特定の記事やコンテンツを探し出すことは、一層難しくなってしまう。
【０００７】
そこで、下記の特許文献１では、複数の記事を含む電子情報から、ユーザの所望の記事のみを切り出して管理する、いわゆるスクラップブックの形式で電子情報を管理する技術を提案している。これにより、ユーザは、多くの文書の中から効率よく所望の記事を見つけることができる。
【０００８】
また、ユーザが記事を閲覧しやすいようにするため、記事の表示方法にも工夫が必要である。例えば、特許文献１では、ある電子記事を表示させたときに、その電子記事の前後の電子記事を簡単な操作で表示させることができるようになっている。これについて、図９に基づいて説明する。図９は、従来技術を示すものであり、電子記事の表示方法の一例を示す図である。
【０００９】
図示のように、表示画面１０１には、記事の具体的な内容である本文１０２が表示されていると共に、本文１０２を現在表示しているスクラップから他のスクラップへと表示対象切り替えるためのスクラップ切替ボタン１０３、及び現在表示している本文１０２の頁を切り替えるための頁切替ボタン１０４が表示されている。
【００１０】
すなわち、特許文献１では、本文１０２を表示させた後、スクラップ切替ボタン１０３をマウスでクリックすることにより、他のスクラップの本文１０２へと表示の対象を切り替えることができるようになっている。また、本文１０２を表示させた後、頁切替ボタンをマウスでクリックすることにより、本文１０２の前の頁または次の頁の本文１０２が表示される。
【００１１】
これにより、ユーザは、スクラップ単位で記事を順次表示させて閲覧することができるので、記事を閲覧しやすく、また所望の記事を容易に見つけることが可能になる。
【特許文献１】特開平８−９５９８８号公報（１９９６年４月１２日公開）
【発明の開示】
【発明が解決しようとする課題】
【００１２】
しかしながら、上記従来の構成では、記事を閲覧するときに前後の記事がいつの記事であるかがユーザにわからないという問題があった。また、これは電子記事に限った問題ではなく、電子データを表示する表示装置全般に当てはまる問題である。
【００１３】
すなわち、従来の表示装置では、ユーザが複数の電子データのうち１つを表示させたときに、表示させた電子データの前後の電子データがいつのものであるかがユーザには認識できず、そのためユーザは所望の電子データを探索することが困難であるという問題があった。
【００１４】
本発明は、上記の問題点に鑑みてなされたものであり、その目的は、表示されている電子データの前後の電子データがいつのものであるかをユーザが容易に認識することができるような表示を行うことによって、ユーザが所望の電子データをより容易に探索することができる表示装置等を実現することにある。
【課題を解決するための手段】
【００１５】
本発明の表示装置は、上記課題を解決するために、複数の電子データの１つである第１電子データを表示部に表示する表示装置であって、上記各電子データに含まれる日付データに基づいて、上記複数の電子データのうち、日付順で上記第１電子データの直前となる電子データである第２電子データの日付、及び日付順で上記第１電子データの直後となる電子データである第３電子データの日付の少なくとも一方を検出する日付管理手段と、上記第１電子データを表示部に表示するときに、当該第１電子データと共に上記日付管理手段が検出した日付を表示する表示制御手段とを備えていることを特徴としている。
【００１６】
また、本発明の表示方法は、上記課題を解決するために、複数の電子データの１つである第１電子データを表示部に表示する表示装置の表示方法であって、上記各電子データに含まれる日付データに基づいて、上記複数の電子データのうち、日付順で上記第１電子データの直前となる電子データである第２電子データの日付、及び日付順で上記第１電子データの直後となる電子データである第３電子データの日付の少なくとも一方を検出する日付管理ステップと、上記第１電子データを表示部に表示するときに、当該第１電子データと共に上記日付管理ステップにて検出した日付を表示する表示制御ステップとを含むことを特徴としている。
【００１７】
上記の構成によれば、表示部に表示されている第１電子データの前後の電子データ、すなわち第２及び第３電子データがいつのものであるかがユーザに一目で分かるので、ユーザは所望の電子データを容易に探索することができる。
【００１８】
なお、日付データは、電子データが作成された日付やデータの内容が更新された日付、表示装置が電子データを取得した日付、電子データが発行された日付等の電子データに関連する日付を示すデータである。
【００１９】
また、上記表示装置は、上記第１電子データを表示しているときに所定のユーザ操作を取得して、上記第１電子データに代えて上記第２電子データまたは第３電子データを表示部に表示させる第１選択手段を備えていることが好ましい。
【００２０】
上記の構成によれば、第１電子データの前後の電子データがいつのデータなのかが一目でわかると共に、第２電子データまたは第３電子データを表示部に容易に表示させることができる。これにより、ユーザは所望の電子データを探したり、閲覧したりすることが容易になる。
【００２１】
また、上記表示装置は、上記日付データに基づいて、上記複数の電子データのうち、日付順で上記第１電子データよりも前となる電子データの件数、及び日付順で上記第１電子データよりも後となる電子データの件数の少なくとも一方を算出する件数管理手段を備え、上記表示制御手段は、上記第１電子データと共に上記算出した件数を上記表示部に表示することが好ましい。
【００２２】
上記の構成によれば、表示部に表示されている第１電子データの前後の電子データの件数が一目でわかるようになるので、ユーザはより一層、所望の電子データを探索しやすくなる。
【００２３】
また、上記複数の電子データのそれぞれには、各電子データの分類を示す分類情報が含まれており、上記表示装置は、上記複数の電子データのうち、上記第１電子データと同じ分類に属する電子データであって、日付順で上記第１電子データの直前となる電子データである第４電子データの日付、及び日付順で上記第１電子データの直後となる電子データである第５電子データの日付の少なくとも一方を検出する分類別日付管理手段を備え、上記表示制御手段は、上記第１電子データと共に上記分類別日付管理手段が検出した日付を上記表示部に表示することが好ましい。
【００２４】
上記の構成によれば、第１電子データと同じ分類の電子データの中で、第１電子データの前後の電子データがいつのデータなのかが一目でわかるようになるので、ユーザはさらに電子データを探索しやすくなる。
【００２５】
また、上記表示装置は、上記第１電子データを表示しているときに所定のユーザ操作を取得して、上記第１電子データに代えて上記第４電子データまたは第５電子データを表示部に表示させる第２選択手段を備えていることが好ましい。
【００２６】
上記の構成によれば、第１電子データと同じ分類の電子データの中で、第１電子データの前後の電子データがいつのデータなのかが一目でわかるようになると共に、第１電子データと同じ分類の電子データの中で、日付順で第１電子データの直前の電子データである第４電子データや日付順で第１電子データの直後の電子データである第５電子データを表示部に容易に表示させることができるようになる。これにより、ユーザは、さらに電子データを探索及び閲覧しやすくなる。
【００２７】
また、上記複数の電子データのそれぞれには、各電子データの分類を示す分類情報が含まれており、上記表示装置は、上記第１電子データを表示しているときに所定のユーザ操作を取得して、上記第１電子データに代えて上記第２電子データまたは第３電子データを表示部に表示させる第１選択手段と、上記複数の電子データのうち、上記第１電子データと同じ分類に属する電子データであって、日付順で上記第１電子データの直前となる電子データである第４電子データの日付、及び日付順で上記第１電子データの直後となる電子データである第５電子データの日付の少なくとも一方を検出する分類別日付管理手段と、上記第１電子データを表示しているときに所定のユーザ操作を取得して、上記第１電子データに代えて上記第４電子データまたは第５電子データを表示部に表示させる第２選択手段とを備え、上記表示制御手段は、上記分類別日付管理手段及び日付管理手段が検出した日付の少なくとも１つを上記表示部に表示すると共に、表示した日付に対応する電子データを表示部に表示させる第１または第２選択手段へのユーザ操作を促す選択補助データを上記表示した日付の少なくとも一部と重畳して表示することが好ましい。
【００２８】
上記の構成によれば、表示部に選択補助データが表示されるので、ユーザは第１選択手段や第２選択手段への操作をスムーズに行って、第２〜第５電子データの何れか１つを表示部に表示させることができる。
【００２９】
なお、選択補助データは、第１選択手段や第２選択手段へのユーザ操作を補助するものであればよく、第１選択手段や第２選択手段の態様に合わせて適宜変更することができる。例えば、第１選択手段や第２選択手段が、上記表示装置の本体表面に設けられた操作キーである場合には、選択補助データを、第２〜第５電子データを表示させる操作キーの上記表示装置の本体表面における位置を示すものとすればよい。また、例えば第１選択手段や第２選択手段が表示部への接触を検知するタッチパネルである場合には、選択補助データを、第２〜第５電子データを表示させるための接触位置を示すものとすればよい。
【００３０】
また、上記構成では、第１または第２選択手段にユーザ操作が行われた場合に表示される電子データの日付が、上記第１または第２選択手段へのユーザ操作を促す選択補助データの少なくとも一部と重畳して表示される。これにより、ユーザは、選択補助データと、その選択補助データが入力を促す第１または第２選択手段によって表示される電子データとの対応関係を容易に認識することができ、ユーザの操作性が向上する。
【００３１】
なお、上記表示装置は、コンピュータによって実現してもよく、この場合には、コンピュータを上記表示装置の各手段として動作させることにより、上記表示装置をコンピュータにて実現させる制御プログラム、及びそれを記録したコンピュータ読み取り可能な記録媒体も本発明の範疇に入る。
【発明の効果】
【００３２】
以上のように、本発明の表示装置は、各電子データに含まれる日付データに基づいて、上記複数の電子データのうち、日付順で上記第１電子データの直前となる電子データである第２電子データの日付、及び日付順で上記第１電子データの直後となる電子データである第３電子データの日付の少なくとも一方を検出する日付管理手段と、上記第１電子データを表示部に表示するときに、当該第１電子データと共に上記日付管理手段が検出した日付を表示する表示制御手段とを備えている構成である。
【００３３】
また、本発明の表示方法は、以上のように、各電子データに含まれる日付データに基づいて、上記複数の電子データのうち、日付順で上記第１電子データの直前となる電子データである第２電子データの日付、及び日付順で上記第１電子データの直後となる電子データである第３電子データの日付の少なくとも一方を検出する日付管理ステップと、上記第１電子データを表示部に表示するときに、当該第１電子データと共に上記日付管理ステップにて検出した日付を表示する表示制御ステップとを含む構成である。
【００３４】
したがって、第１電子データの前後の電子データ、すなわち第２及び第３電子データがいつのものであるかをユーザが容易に認識することができ、それによってユーザが所望の電子データをより容易に探索することができるという効果を奏する。
【発明を実施するための最良の形態】
【００３５】
本発明の一実施形態について図１ないし図８に基づいて説明すると以下の通りである。まず、本実施形態の携帯電話機（表示装置）１の概略構成について、図１に基づいて説明する。図１は、携帯電話機１の要部構成を示すブロック図である。図示のように、携帯電話機１は、記憶部２、制御部（表示制御手段）３、操作部（第１選択手段、第２選択手段）４、通信制御部５、通信Ｉ／Ｆ６、表示制御部７、及び表示部８を備えている。
【００３６】
記憶部２は、携帯電話機１が受信したメール等のデータや、携帯電話機１のユーザが記録した電話番号やメールアドレス等のデータ、また制御部３が動作するために必要なプログラム等を格納している。そして、記憶部２は電子記事を格納する電子記事格納部９を備えている。
【００３７】
ここで、電子記事格納部９に格納されている電子記事について下記の表１に基づいて説明する。表１は、電子記事のデータ構造の一例を示している。表１に示すように、電子記事は基本情報と記事情報とを含む。
【００３８】
【表１】
2009015506.tif 000003
【００３９】
基本情報は、電子記事を管理するためのデータであり、基本情報には、記事番号、日付情報、発行者、カテゴリ、記事構成情報、及び有効期限が含まれている。記事番号は、電子記事を特定するための番号であり、各電子記事にそれぞれ固有の番号が割り当てられている。
【００４０】
日付情報は、電子記事に対応付けられた日付を示すデータであり、例えば電子記事が発効された日付を示す発効日、電子記事が配信された日付を示す配信日、電子記事が作成された作成日、電子記事が携帯電話機１に受信された受信日等が日付情報として各電子記事に割り当てられている。
【００４１】
発行者は、電子記事を発行した人物や企業等の名称を示すデータである。カテゴリは、電子記事が属するカテゴリを示すデータである。電子記事のカテゴリとしては、例えばスポーツ、政治、文化、社会等が挙げられるが、これらの例に限られず、任意のカテゴリ分けが可能である。
【００４２】
記事構成情報は、電子記事がどのような構成になっているかを示すデータである。具体的には、記事構成情報は、電子記事の構成をタイトル、要約、本文、画像の４つに分類し、各分類の構成を備えているか否かを示している。なお、構成の分類は、上記の例に限られず、任意の分類とすることができる。
【００４３】
有効期限は、電子記事が有効な期日を示すデータである。例えば、ある期日を過ぎてしまえば、閲覧する必要がなくなるデータには、有効期限をその期日に設定しておけばよい。これにより、閲覧する必要がなくなったデータを容易に認識することが可能になる。
【００４４】
なお、基本情報としては、少なくとも日付情報を含んでいればよく、基本情報のその他の項目については、省略することが可能である。しかしながら、上記のような項目が基本情報に含まれていることにより、電子記事を発行者別、カテゴリ別、記事構成別（例えば画像を含んでいるか否か）等によって分類して管理することが可能になる。ゆえに、基本情報は、上記のような情報を含んでいることが好ましい。
【００４５】
記事情報は、電子記事の具体的な内容を示すデータである。記事情報には、電子記事のタイトル、要約、本文、及び画像のデータが含まれている。なお、記事情報には、少なくとも本文のデータが含まれていればよい。
【００４６】
本実施形態では、表１に示すデータ構造を備える電子記事を電子記事配信元Ｓから取得する例を示すが、電子記事の基本情報を携帯電話機１の制御部３が作成して当該電子記事に付加するようにしてもよい。また、電子記事の基本情報は、電子記事のデータ構造に含まれていなくてもよく、要は電子記事の本文やタイトル等の記事情報と日付情報やカテゴリ等の基本情報との対応関係を制御部３が認識できるようになっていればよい。例えば、電子記事とは別に基本情報を記憶部２に格納しておき、記憶部２に格納された基本情報と電子記事格納部９に格納された電子記事とを対応付けておいてもよい。
【００４７】
ここで、図１のブロック図の説明に戻る。制御部３は、携帯電話機１の動作を統括して制御するものであり、例えばＣＰＵ（Central Processing Unit）で制御部３を構成し、プログラムにて制御部３の機能を実現してもよいし、回路やチップ等のハードウェアで制御部３を構成してもよい。また、制御部３は、図示しない一時記億部を備えており、制御部３は、この一時記億部を作業領域として動作する。
【００４８】
制御部３は、電子記事格納部９に格納されている電子記事の日付情報を管理する日付管理部（日付管理手段）１０、電子記事の件数を管理する件数管理部（件数管理手段）１１、及び電子記事の分類別に日付情報を管理する分類別日付管理部（分類別日付管理部）１２を備えている。
【００４９】
日付管理部１０は、電子記事格納部９に格納されている電子記事の基本情報を参照して各電子記事が日付順で何番目となるかを判定する。また、日付管理部１０は、電子記事格納部９から電子記事が削除された場合や、新たに電子記事が格納された場合には、それに合せて順番を修正する。なお、ここでは、日付順は日付の昇順であることを想定しているが、降順で日付を管理するようにしてもよい。
【００５０】
件数管理部１１は、電子記事格納部９に格納されている電子記事の件数が何件であるかを判定する。また、件数管理部１１は、表示部８に本文が表示されている電子記事よりも前の日付の電子記事、及び後の日付の電子記事が何件であるかを判定する。すなわち、件数管理部１１は、電子記事格納部９に格納されている電子記事の総件数を管理すると共に、現在表示中の電子記事が日付順で何番目であるかを管理する。
【００５１】
分類別日付管理部１２は、電子記事格納部９に格納されている電子記事の基本情報を参照し、各分類に属する電子記事がその分類において日付順で何番目に位置しているのかを判定する。また、分類別日付管理部１２は、電子記事格納部９から電子記事が削除された場合や、新たに電子記事が格納された場合には、それに合せて順番を修正する。なお、ここでは、分類とは各電子記事に基本情報として含まれているカテゴリを指す。
【００５２】
操作部４は、携帯電話機１のユーザが携帯電話機１に操作入力を行うためのものであり、ユーザが所望の操作入力を行えるものであれば特に限定されない。なお、ここでは、操作部４は、携帯電話機１の本体表面に設けられた操作キーであることを想定している。具体的には、操作キーとして、メールに関連するメニュー画面やインターネット接続に関するメニュー画面等を表示部８に表示させる各種メニューキーや、表示部８に表示される項目を選択するための上下左右の方向キー、選択された項目を決定する決定キー、数字や文字を入力するための文字入力キー等を含む複数の操作キーを備えていることを想定している。
【００５３】
通信制御部５は、携帯電話網等を介して、他の携帯電話機や一般電話機と通話を行ったり、インターネットに接続して通信を行ったりする際の制御を行う。そして、通信Ｉ／Ｆ６は通信制御部５の制御に従って他の携帯電話機１や一般電話機、パソコン等の機器と通信を行うハードウェアである。通信制御部５及び通信Ｉ／Ｆ６は、従来の携帯電話機等で使用されているものを適用することができる。
【００５４】
図示のように、携帯電話機１では、通信Ｉ／Ｆ６を介して電子記事配信元Ｓから電子記事を取得することができる。本実施形態では、電子記事配信元Ｓは、ウェブサーバであり、電子記事配信元Ｓに対して電子記事の配信要求を送信し、該送信した配信要求に応じて電子記事配信元Ｓから送られてくる電子記事を通信Ｉ／Ｆ６を介して電子記事格納部９に格納することを想定している。
【００５５】
なお、電子記事を取得する方法は、上記の例に限られず、公知の方法を利用して適宜電子記事を取得することができる。例えば、赤外線通信やＢｌｕｅＴｏｏｔｈ（登録商標）等を介して電子記事を取得してもよいし、電子記事配信元Ｓと携帯電話機１とを有線で接続して電子記事を取得してもよい。また、電子記事配信元Ｓは、例えばハードディスクや半導体メモリ、ＤＶＤ（Digital Versatile Disk）等の記録媒体であっても構わない。
【００５６】
表示制御部７は、制御部３の指示に従って表示データを作成し、作成した表示データによって表示部８に所定の画像を表示させるものであり、ＶＤＰ（Video Display Processor）やＶＲＡＭ（video RAM）等の画像を表示させために必要な構成を備えている（図示せず）。表示部８は、画像を表示することができればよく、その構成は特に限定されないが、例えば液晶表示パネルやＥＬ（Electro Luminescence）表示パネル等で構成することができる。
【００５７】
携帯電話機１は、上記の各構成を備えることにより、電子記事配信元Ｓから電子記事を取得し、取得した電子記事を電子記事格納部９に格納することができる。そして、ユーザは、操作部４に操作入力を行うことによって、電子記事格納部９に格納されている電子記事を表示部８に表示させることができる。
【００５８】
また、電子記事格納部９に格納されている電子記事は、日付管理部１０、件数管理部１１、及び分類別日付管理部１２によって管理されており、これによってユーザが所望の電子記事を探したり、閲覧したりすることが容易な表示方法が実現される。この表示方法が本発明の携帯電話機１の特徴である。
【００５９】
具体的には、携帯電話機１では、電子記事格納部９に格納されている電子記事の中から、ユーザが選択した１つの電子記事の本文を表示部８に表示する。このときに、選択された記事の本文を表示部８に表示すると共に、選択された記事に対して日付順で前後となる電子記事の日付を表示部８に表示する。これにより、ユーザは、選択した記事の本文を閲覧しながら、選択した記事の前後の電子記事がいつのものであるかを認識することができるので、ユーザが所望の電子記事を探したり、閲覧したりすることが容易になる。
【００６０】
〔日付表示処理〕
選択した記事の前後の日付を表示する日付表示処理について、図２に基づいて説明する。図２は、日付表示処理の一例を示すフローチャートである。なお、ここでは、複数の電子記事が既に電子記事格納部９に格納されているものとする。
【００６１】
まず、制御部３は、表示部８に本文を表示する対象となる電子記事が選択されたか否かを確認する（Ｓ１１）。表示する電子記事の選択方法としては、様々な態様が考えられるが、本実施形態では、操作部４にタイトル一覧表示画面を表示することを命令する操作入力が行われた場合に、制御部３が電子記事格納部９に格納されている電子記事のタイトルの一覧を表示部８に表示させることを想定している。そして、該タイトル一覧表示画面から、ユーザが所望の電子記事のタイトルを選択することを想定している。
【００６２】
図３は、上記タイトル一覧表示画面の一例を示す図である。図示のように、タイトル一覧表示画面には、見出し欄２１、タイトル欄２２、カーソル２３、及び携帯電話機状態表示欄２４が含まれる。
【００６３】
見出し欄２１には、「記事一覧」と表示されており、これにより、ユーザは、表示部８に表示されている画像が電子記事の一覧であることを認識することができる。もちろん、見出し欄２１に表示するテキストは、「記事一覧」に限られず、他のテキストや画像、またそれらの組み合わせを表示してもよい。
【００６４】
タイトル欄２２には、電子記事格納部９に格納されている電子記事のタイトルが表示される。具体的には、制御部３は、電子記事格納部９に格納されている各電子記事の記事情報から各電子記事のタイトルを読み出し、読み出したタイトルを表示制御部７に指示して表示部８に表示させる。
【００６５】
なお、タイトル欄２２に表示するデータは、ユーザが所望の電子記事を特定できるものであればよく、電子記事のタイトルに限定されない。例えば、図３の例では、電子記事のタイトルと共に、当該電子記事の日付が表示されている。これにより、ユーザは、各電子記事がいつの記事であるかを一目で認識することができるので、所望の電子記事を特定しやすくなる。また、電子記事の特定を容易にするために、例えば電子記事のカテゴリ、発行者、要約等を表示するようにしてもよい。
【００６６】
カーソル２３は、タイトルが表示されている電子記事をユーザが選択するためのものである。ユーザは、操作部４を操作することによって、所望の電子記事のタイトルにカーソル２３を合せることができるようになっている。そして、電子記事のタイトルにカーソル２３が合わされた状態で、操作部４に所定の入力操作があったことを検知した場合に、制御部３は、カーソル２３が合わされたタイトルが選択されたものと判断する。
【００６７】
具体的には、制御部３は、操作部４の方向キーが押下されたときに押下された方向キーの方向に応じてカーソル２３を移動させ、操作部４の決定キーの押下が検出されたときにカーソル２３が合わされているタイトルが選択されたものと判断することを想定している。なお、カーソル２３の形状、カーソル２３による電子記事の選択方法等は、公知技術に基づいて適宜変更が可能であり、上述の例に限られない。
【００６８】
携帯電話機状態表示欄２４には、携帯電話機１の現在の状態が表示される。具体的には、携帯電話機状態表示欄２４には、図示のように、携帯電話機１の電波状況、通信状態、電池残量等が表示される。携帯電話機状態表示欄２４に表示される画像は、携帯電話機１の状態を示すものであればよく、図示の例に限られない。
【００６９】
また、公知の検索手段を用いて電子記事格納部９から所定の条件を満たす電子記事を選択するようにしてもよい。例えば、ユーザの指示に従って検索手段が電子記事格納部９を検索して見つけた電子記事の本文を、制御部３が表示部８に自動的に表示するようにしてもよい。
【００７０】
さらに、制御部３が、新たな電子記事が電子記事格納部９に格納されたことを検知して、新たに格納された電子記事を自動的に表示するようにしてもよい。すなわち、表示部８に本文を表示する対象となる電子記事は、ユーザ以外（例えば携帯電話機１の制御部３）によって選択されてもよい。
【００７１】
ここで、フローチャートの説明に戻る。Ｓ１１にて、表示する電子記事が選択されたことを確認できない場合には、制御部３は、再度Ｓ１１に戻って電子記事が選択されたか否かを確認する。一方、表示する電子記事が選択されたと判断した場合（Ｓ１１でＹｅｓ）には、電子記事格納部９から上記選択された電子記事の内容情報を読み出す（Ｓ１２）。なお、内容情報とは、電子記事の記事情報に含まれる本文、タイトル、画像等のデータを指す。
【００７２】
続いて、制御部３は、日付管理部１０に指示して上記Ｓ１１で選択された電子記事に対し、日付順で前後となる電子記事の日付を電子記事格納部９から読み出させる（Ｓ１３）。上述のように、日付管理部１０は、電子記事が日付順で何番目となるかを判定することができる。これにより、日付管理部１０は、Ｓ１１で選択された電子記事が日付順で何番目となるかを判定し、Ｓ１１で選択された電子記事に対して日付順で前後となる電子記事を特定することができる。そして、分類別日付管理部１２は、上記特定した電子記事の日付を当該電子記事の基本情報から読み出すことができる。
【００７３】
なお、日付管理部１０は、選択された電子記事より古い日付が付された電子記事の中で選択された電子記事の日付と一番近いもの、及び選択された電子記事より新しい日付が付された電子記事の中で選択された電子記事の日付と一番近いものを、それぞれＳ１１で選択された電子記事の前後の電子記事であると判断し、該電子記事の日付を読み出すようにしてもよい。
【００７４】
そして、制御部３は、表示制御部７に指示し、上記読み出したデータに基づいて表示データを生成させ、生成された表示データを表示部８に表示させる（Ｓ１４）。具体的には、表示制御部７は、Ｓ１２で制御部３が読み出した本文のデータと、Ｓ１３で日付管理部１０が読み出した日付とが表示部８に表示されるような表示データを生成し、該生成した表示データを表示部８に表示させる。
【００７５】
以上の表示制御処理により、例えば図４に示すような画像が表示部８に表示される。図４は、電子記事の本文表示画面の一例を示す図である。図示のように、本文表示画面には、携帯電話機状態表示欄２４、本文欄２５、本文日付欄２６、前後日付欄２７、及び表示記事切替ボタン（選択補助データ）２８が含まれる。
【００７６】
本文欄２５には、制御部３が電子記事格納部９から読み出した電子記事の記事情報である本文のデータが表示される。また、図示のように、本文欄２５には電子記事のタイトルを表示する。そして、電子記事が画像を含んでいる場合には画像も表示する。なお、タイトルや画像等は、制御部３が電子記事格納部９から読み出して表示制御部７に指示して表示部８に表示させる。
【００７７】
本文日付欄２６には、本文欄２５に本文が表示されている電子記事の日付が表示される。これにより、ユーザは、本文が表示されている電子記事がいつのものであるかを一目で認識することができる。例えば、図示の例では、本文が表示されている電子記事は、９／２０の電子記事であることがユーザに一目でわかるようになっている。
【００７８】
前後日付欄２７には、本文が表示されている電子記事の日付順で前後の電子記事の日付が表示される。これにより、ユーザは、本文が表示されている電子記事の前後の記事がいつのものであるかを一目で認識することができる。
【００７９】
例えば、図示の例では、９／２０の電子記事の本文が本文欄２５に表示されている。ここで、図３に示すように、日付順で９／２０の電子記事の前となる電子記事は９／１７の電子記事であり、後の電子記事は９／３０の電子記事である。前後日付欄２７に９／１７及び９／３０と表示されることにより、このことがユーザに一目でわかるようになっている。
【００８０】
なお、本文が表示されている電子記事が電子記事格納部９に格納されている電子記事の中で最も日付が新しい場合には、本文が表示されている電子記事の後の日付は表示されない。本文が表示されている電子記事が電子記事格納部９に格納されている電子記事の中で最も日付が古い場合も同様である。
【００８１】
表示記事切替ボタン２８は、本文欄２５に本文を表示する電子記事を日付順に切り替えるために表示される。ここでは、表示記事切替ボタン２８が表示されているときに、操作部４の所定の操作キーに入力があった場合に、制御部３が本文を表示する電子記事を日付順で前または後の電子記事に切り替えることを想定している。
【００８２】
具体的には、同図の「９／１７」との日付が表示されている前後日付欄２７の近傍の表示記事切替ボタン２８に対応する所定の操作キーに入力があった場合に、制御部３は、現在本文欄２５に表示されている９／２０の電子記事の本文に代えて、日付順で９／２０の電子記事の直前となる電子記事の本文を本文欄２５に表示する。すなわちここでは、日付が９／１７の電子記事の本文が本文欄２５に表示される。
【００８３】
一方、同図の「９／３０」との日付が表示されている前後日付欄２７の近傍の表示記事切替ボタン２８に対応する所定の操作キーに入力があった場合には、制御部３は、現在本文欄２５に表示されている９／２０の電子記事の本文に代えて、日付順で９／２０の電子記事の直後となる電子記事の本文を本文欄２５に表示する。すなわちここでは、日付が９／３０の電子記事の本文が本文欄２５に表示される。
【００８４】
なお、表示記事切替ボタン２８は、図示の例に限られず表示画面上の任意の位置に表示することができるが、表示記事切替ボタン２８と前後日付欄２７とは互いの対応関係がユーザに分かるように近接して表示することが好ましい。特に、表示記事切替ボタン２８と前後日付欄２７とが少なくとも一部で重畳するように設けることにより、表示記事切替ボタン２８の切替先の電子記事と、前後日付欄２７に表示されている日付との対応関係が明確になるので好ましい。
【００８５】
また、表示記事切替ボタン２８は、ユーザが本文欄２５に本文を表示する電子記事を切り替えることができるものであればよく、特に限定されない。例えば、表示記事切替ボタン２８をマウス等のポインティングデバイスで選択することによって電子記事を切り替えるようにしてもよいし、表示記事切替ボタン２８をカーソルで選択できるようにしてもよい。また、表示部８をタッチパネルで構成し、表示記事切替ボタン２８に触れることで電子記事を切り替えるようにしてもよい。
【００８６】
さらに、表示記事切替ボタン２８は、操作部４における上記所定の操作キーの配置を示し、該操作キーへのユーザ操作を促すものであることが好ましい。これにより、ユーザは、操作部４に設けられた複数の操作キーから、本文欄２５に本文を表示する電子記事を切り替えるための操作キーを容易に特定することができ、スムーズに操作入力を行うことができる。
【００８７】
より具体的には、表示記事切替ボタン２８を操作部４が備える複数の操作キーのうち、どの操作キーが押下されたときに日付順で電子記事が切り替わるのかをユーザが認識できるような位置及び／または形状とすることが好ましい。例えば、操作部４が備える上下左右の方向キーの左右キーで電子記事を日付順で切り替えるようになっている場合を考える。この場合には、左右の方向キーと対応するような配置及び形状で表示記事切替ボタン２８を表示することが好ましい。これにより、ユーザは、どの操作キーによってどの電子記事が表示されるかを容易に認識し、所望の電子記事をスムーズに表示させることが可能になる。
【００８８】
例えば、図示の例では、２つの表示記事切替ボタン２８が表示部８上で左右方向に配列している。そして、左側の表示記事切替ボタン２８は表示部８の左側が頂点の三角形状であり、右側の表示記事切替ボタン２８は表示部８の右側が頂点の三角形状である。これにより、ユーザは、左側の表示記事切替ボタン２８は左の方向キーに対応しており、右側の表示記事切替ボタン２８は右の方向キーに対応していることを認識することができる。
【００８９】
なお、図２のフローチャートでは、まずＳ１２の処理を行い、次にＳ１３の処理を行う態様を示したが、Ｓ１３の処理を先に行ってもよいし、Ｓ１２の処理とＳ１３の処理とを同時に行ってもよい。
【００９０】
〔件数表示処理〕
携帯電話機１は、電子記事の本文を表示すると共に、本文が表示されている電子記事よりも日付が古い電子記事の件数、及び日付が新しい電子記事の件数を表示することもできる。以下では、本文が表示されている電子記事よりも日付が古い電子記事の件数、及び日付が新しい電子記事の件数を表示する件数表示処理について図５及び図６に基づいて説明する。
【００９１】
図５は、件数表示処理の一例を示すフローチャートである。なお、図２のフローチャートと同様の処理については、同じ番号を付し、その説明を省略する。件数表示処理では、本文を表示する電子記事が選択されると、制御部３は、件数管理部１１に指示して、Ｓ１１で選択された電子記事よりも前の日付の電子記事が何件あるか、またＳ１１で選択された電子記事よりも後の日付の電子記事が何件あるかをそれぞれ算出させる（Ｓ２１）。
【００９２】
そして、制御部３は、表示制御部７に指示して上記読み出したデータ及び算出したデータに基づいて表示データを生成させ、該表示データを表示部８に表示させる（Ｓ２２）。具体的には、制御部３は、Ｓ１２で読み出した電子記事の内容情報、すなわち本文と、Ｓ２２で日付管理部１０が算出した電子記事の件数とが表示部８に表示されるような表示データを生成し、該生成した表示データを表示部８に表示させる。
【００９３】
これにより、例えば図６に示すような画像が表示部８に表示される。図６は、件数表示処理によって表示される本文表示画面の一例を示す図である。なお、ここでは、図４と同様の構成については、同一の番号を付し、その説明を省略する。
【００９４】
図６に示す本文表示画面には、図示のように、前後件数表示欄２９が含まれている。前後件数表示欄２９には、表示部８に本文が表示されている電子記事よりも日付が古い電子記事の数、及び日付が新しい電子記事の数を示している。
【００９５】
より具体的には、本文が表示されている電子記事に対して日付順で直前となる電子記事の日付が表示されている前後日付表示欄の近傍に表示されている前後件数表示欄２９には、本文が表示されている電子記事よりも日付が古い電子機器の件数が表示される。一方、本文が表示されている電子記事に対して日付順で直後となる電子記事の日付が表示されている前後日付表示欄の近傍に表示されている前後件数表示欄２９には、本文が表示されている電子記事よりも日付が新しい電子機器の件数が表示される。
【００９６】
図６の例では、２つの前後件数表示欄２９には、それぞれ「前８件」及び「後６件」と表示されている。これにより、ユーザは、現在本文が表示されている電子記事よりも日付が古い電子記事が８件あり、日付が新しい電子記事が６件あることを一目で認識することができる。
【００９７】
なお、件数の表示方法は、図示の例に限られず、件数を画像や色で表現してもよい。例えば、前後日付欄２７や表示記事切替ボタン２８の色やサイズ、画像等を電子記事の件数に応じて変化させてもよい。要は、本文が表示されている電子記事の前後に何件の電子記事があるかをユーザが視認できるように表示できる表示方法であれば、任意の方法を適用することができる。
【００９８】
〔カテゴリ別日付表示処理〕
携帯電話機１は、電子記事の本文をカテゴリ別の日付順で表示することもできる。そして、本文が表示されている電子記事と同一カテゴリにある電子記事であって、日付順で本文が表示されている電子記事と前後となる電子記事の日付を表示するカテゴリ別日付表示処理を行うことができる。
【００９９】
言い換えれば、カテゴリ別日付表示処理とは、電子記事格納部９に格納されている電子記事をカテゴリ毎に分類し、各カテゴリ内の電子記事を日付順に並べたときに、本文を表示している電子記事と日付順で直近となる電子記事の日付を表示する処理である。
【０１００】
これにより、ユーザは、カテゴリ別の日付順でも電子記事を探索及び閲覧することができる。その結果、複数の電子記事の中から所望の電子記事を見つけて閲覧することがユーザにとってより一層容易になる。以下では、カテゴリ別日付表示処理について図７及び図８に基づいて説明する。
【０１０１】
図７は、カテゴリ別日付表示処理の一例を示すフローチャートである。なお、図２のフローチャートと同様の処理については、同じ番号を付し、その説明を省略する。カテゴリ別日付表示処理では、Ｓ１１で電子記事が選択されると、制御部３は、選択された電子記事の基本情報を参照して当該電子記事のカテゴリを読み出す（Ｓ３１）。
【０１０２】
続いて、制御部３は、分類別日付管理部１２に指示して上記読み出したカテゴリ内において、Ｓ１１で選択した電子記事に対し、日付順で前後となる電子記事の日付を読み出させる（Ｓ３２）。
【０１０３】
上述のように、分類別日付管理部１２は、電子記事が分類別の日付順で何番目となるかを判定することができる。これにより、分類別日付管理部１２は、Ｓ１１で選択された電子記事がそのカテゴリ内の日付順で何番目となるかを判定し、同じカテゴリ内において、Ｓ１１で選択された電子記事に対して日付順で前後となる電子記事を特定することができる。そして、分類別日付管理部１２は、上記特定した電子記事の日付を当該電子記事の基本情報から読み出すことができる。
【０１０４】
そして、制御部３は、表示制御部７に指示して上記読み出したデータに基づいて表示データを生成させて表示部８に表示させる（Ｓ１４）。これにより、例えば図８に示すような画像が表示部８に表示される。図８は、カテゴリ別日付表示処理によって表示される本文表示画面の一例を示す図である。なお、ここでは、図４と同様の構成については、同一の番号を付し、その説明を省略する。
【０１０５】
図８に示す本文表示画面には、図示のように、カテゴリ別前後日付欄３０、カテゴリ欄３１、及びカテゴリ別表示記事切替ボタン（選択補助データ）３２が含まれている。カテゴリ別前後日付欄３０には、本文が表示されている電子記事と同一カテゴリの電子記事であって、本文が表示されている電子記事と日付順で前後となる電子記事の日付が表示される。これにより、ユーザは、本文が表示されている電子記事と同じカテゴリで日付が直近となる電子記事がいつのものであるかを一目で認識することができる。
【０１０６】
例えば、図示の例では、９／２０の電子記事の本文が本文欄２５に表示されている。なお、ここでは、上記本文が表示されている電子記事の基本情報のカテゴリは、スポーツとなっていることを想定している。
【０１０７】
ここで、図３に示すように、日付順で９／２０の直前となるスポーツカテゴリの電子記事は８／２５の電子記事であり、日付順で９／２０の直後後となるスポーツカテゴリの電子記事は９／３０の電子記事である。携帯電話機１では、図８に示すように、２つのカテゴリ別前後日付欄３０のそれぞれに８／２５及び９／３０と表示されることにより、このことがユーザに一目でわかるようになっている。
【０１０８】
カテゴリ欄３１には、本文が表示されている電子記事のカテゴリが表示される。具体的には、制御部３は、本文を表示する電子記事が選択されると、該選択された電子記事の基本情報を参照してカテゴリを読み出し、表示制御部７に指示してカテゴリ欄３１に上記読み出したカテゴリを表示させる。カテゴリが表示されることにより、ユーザは本分が表示されている電子記事のカテゴリを一目で認識することができる。
【０１０９】
例えば、図８の例では、２つの表示記事切替ボタン２８の間にカテゴリ欄３１が設けられており、カテゴリ欄３１には、「スポーツ」と表示されている。これにより、ユーザは、本文欄２５に表示されている電子記事のカテゴリがスポーツであることを一目で認識することが可能になる。なお、カテゴリ欄３１の表示位置は、図示の例に限られない。
【０１１０】
カテゴリ別表示記事切替ボタン３２は、本文欄２５に本文を表示する電子記事を電子記事のカテゴリ別の日付順で切り替えるために表示される。ここでは、カテゴリ別表示記事切替ボタン３２が表示されているときに、操作部４の所定の操作キーに入力があった場合に、制御部３が本文を表示する電子記事を、本文が表示されている電子記事と同じカテゴリであって日付順で前または後の電子記事に切り替えることを想定している。
【０１１１】
具体的には、同図の「８／２５」との日付が表示されているカテゴリ別前後日付欄３０の近傍のカテゴリ別表示記事切替ボタン３２に対応する所定の操作キーに入力があった場合に、制御部３は、現在本文欄２５に表示されている９／２０の電子記事の本文に代えて、９／２０の電子記事と同一カテゴリであって、日付順で９／２０の電子記事の直前となる電子記事の本文を本文欄２５に表示する。すなわち図示の例では、日付が８／２５の電子記事の本文が本文欄２５に表示される。
【０１１２】
一方、同図の「９／３０」との日付が表示されているカテゴリ別前後日付欄３０の近傍のカテゴリ別表示記事切替ボタン３２に対応する所定の操作キーに入力があった場合には、制御部３は、現在本文欄２５に表示されている９／２０の電子記事の本文に代えて、９／２０の電子記事と同一カテゴリであって、日付順で９／２０の電子記事の直後となる電子記事の本文を本文欄２５に表示する。すなわち図示の例では、日付が９／３０の電子記事の本文が本文欄２５に表示される。
【０１１３】
なお、カテゴリ別表示記事切替ボタン３２は、表示記事切替ボタン２８と同様に、ユーザが本文欄２５に本文を表示する電子記事を切り替えることができるものであればよく、上記の例に示す構成に限られない。
【０１１４】
また、カテゴリ別表示記事切替ボタン３２は、図示の例に限られず、表示画面の任意の位置に表示させることができる。しかしながら、図示のように、カテゴリ別表示記事切替ボタン３２によってどの電子記事の本文が表示されるのかをユーザが認識できるように、カテゴリ別日付表示欄とカテゴリ別表示記事切替ボタン３２とは近接した配置で表示することが好ましい。
【０１１５】
さらに、カテゴリ別表示記事切替ボタン３２は、操作部４における上記所定の操作キーの配置を示し、該操作キーへのユーザ操作を促すものであることが好ましい。これにより、ユーザは、操作部４に設けられた複数の操作キーから、本文欄２５に本文を表示する電子記事を切り替えるための操作キーを容易に特定することができ、スムーズに操作入力を行うことができる。
【０１１６】
より具体的には、カテゴリ別表示記事切替ボタン３２を操作部４が備える複数の操作キーのうち、どの操作キーが押下されたときにカテゴリ別の日付順で電子記事が切り替わるのかをユーザが認識できるような位置及び／または形状とすることが好ましい。例えば、操作部４が備える上下左右の方向キーの上下キーで電子記事を日付順で切り替えるようになっている場合を考える。この場合には、上下の方向キーと対応するような配置及び形状でカテゴリ別表示記事切替ボタン３２を表示することが好ましい。これにより、ユーザは、どの操作キーによってどの電子記事が表示されるかを容易に認識し、所望の電子記事をスムーズに表示させることが可能になる。
【０１１７】
例えば、図示の例では、２つのカテゴリ別表示記事切替ボタン３２が表示部８上で上下方向に配列している。そして、上側のカテゴリ別表示記事切替ボタン３２は表示部８の上側が頂点の三角形状であり、下側のカテゴリ別表示記事切替ボタン３２は表示部８の下側が頂点の三角形状である。これにより、ユーザは、上側のカテゴリ別表示記事切替ボタン３２は上の方向キーに対応しており、下側のカテゴリ別表示記事切替ボタン３２は下の方向キーに対応していることを認識することができる。
【０１１８】
なお、図７のフローチャート及び図８の本文表示画面では、カテゴリ別に表示を切り替える構成を示したが、カテゴリに限らず任意の分類別に表示を切り替える構成とすることができる。例えば、表１に示すデータ構造をもつ電子記事の場合には、発行者や記事構成情報、有効期限別、等の分類ごとに表示を切り替えるようにしてもよい。すなわち、携帯電話機１では、任意の分類別の日付順で電子記事を表示させることができ、また本文を表示している電子記事と分類が同じで日付が直前、直後の電子記事の日付を表示させることができる。
【０１１９】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１２０】
最後に、携帯電話機１の各ブロック、特に制御部３、日付管理部１０、件数管理部１１、分類別日付管理部１２、表示制御部７、及び通信制御部５は、ハードウェアロジックによって構成してもよいし、次のようにＣＰＵを用いてソフトウェアによって実現してもよい。
【０１２１】
すなわち、携帯電話機１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである携帯電話機１の制御プログラムのプログラムコード（実行形式プログラム、中間コードプログラム、ソースプログラム）をコンピュータで読み取り可能に記録した記録媒体を、上記携帯電話機１に供給し、そのコンピュータ（またはＣＰＵやＭＰＵ）が記録媒体に記録されているプログラムコードを読み出し実行することによっても、達成可能である。
【０１２２】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１２３】
また、携帯電話機１を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１２４】
本発明の表示装置等によれば、表示されている電子データの前後の電子データがいつのものであるかをユーザが容易に認識することができるので、電子記事に限らず様々な電子データを表示する表示装置に利用することができる。例えば、パーソナルコンピュータ、ＰＤＡ（Personal Digital Assistance）、電子辞書、電子手帳等にも本発明は適用可能である。
【図面の簡単な説明】
【０１２５】
【図１】本発明の実施形態を示すものであり、本発明の携帯電話機の要部構成を示すブロック図である。
【図２】上記携帯電話機で実行される日付表示処理の一例を示すフローチャートである。
【図３】電子記事をユーザに選択させるために上記携帯電話機の制御部が表示部に表示させるタイトル一覧表示画面の一例を示す図である。
【図４】上記携帯電話機における電子記事の本文表示画面の一例を示す図である。
【図５】上記携帯電話機における件数表示処理の一例を示すフローチャートである。
【図６】上記件数表示処理によって表示される本文表示画面の一例を示す図である。
【図７】上記携帯電話機におけるカテゴリ別日付表示処理の一例を示すフローチャートである。
【図８】上記カテゴリ別日付表示処理によって表示される本文表示画面の一例を示す図である。
【図９】従来技術を示すものであり、電子記事の表示方法の一例を示す図である。
【符号の説明】
【０１２６】
１    携帯電話機（表示装置）
３    制御部（表示制御手段）
４    操作部（第１選択手段、第２選択手段）
７    表示制御部
８    表示部
９    電子記事格納部
１０    日付管理部（日付管理手段）
１１    件数管理部（件数管理手段）
１２    分類別日付管理部（分類別日付管理手段）
２７    前後日付欄
２８    表示記事切替ボタン（選択補助データ）
２９    前後件数表示欄
３０    カテゴリ別前後日付欄
３１    カテゴリ欄
３２    カテゴリ別表示記事切替ボタン（選択補助データ）
【図１】
2009015506.tif 000004
【図２】
2009015506.tif 000005
【図３】
2009015506.tif 000006
【図４】
2009015506.tif 000007
【図５】
2009015506.tif 000008
【図６】
2009015506.tif 000009
【図７】
2009015506.tif 000010
【図８】
2009015506.tif 000011
【図９】
2009015506.tif 000012